【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
プラズマ発生器静電集塵器アセンブリを含む空気処理デバイスであって、前記プラズマ発生器静電集塵器アセンブリは、
その付近の浮遊粒子を帯電させ、電荷を帯びた浮遊粒子を提供するように構成されている静電集塵器と、
前記静電集塵器に近接して位置決めされているプラズマ発生器であって、前記プラズマ発生器は、前記静電集塵器と協働するように構成されており、前記プラズマ発生器は、プラズマを放電し、浮遊粒子を不活性化させるように動作可能な不活性化ゾーンを前記プラズマ発生器の領域の中に提供するように構成されており、前記空気処理デバイスは、前記静電集塵器によって発生された電荷を帯びた浮遊粒子を前記不活性化ゾーンの中へ方向付けするための手段を含み、その結果、前記空気処理デバイスが、電荷を帯びた浮遊粒子を発生させるように適合され、および、前記電荷を帯びた浮遊粒子を前記不活性化ゾーンの中へ方向付けし、前記電荷を帯びた浮遊粒子を前記不活性化ゾーンの中のプラズマに曝すように適合される、プラズマ発生器と、を含み、
前記プラズマ発生器は、円筒コイルを備えるコイルアセンブリを含み、前記コイルアセンブリは、前記円筒コイルに係合するように適合されている絶縁スタンドを備え、前記絶縁スタンドは、前記円筒コイルを上昇させられた位置に装着するために構成されていることを特徴とする空気処理デバイス。
【請求項２】
前記プラズマ発生器および前記静電集塵器のそれぞれは、物質を帯電させる帯電コンポーネントを含むことを特徴とする請求項１に記載の空気処理デバイス。
【請求項３】
前記プラズマ発生器の前記帯電コンポーネントは、前記静電集塵器と協働していることを特徴とする請求項２に記載の空気処理デバイス。
【請求項４】
前記プラズマ発生器は、コイルアセンブリを含み、前記コイルアセンブリの少なくとも一部分は、前記静電集塵器の一部を形成していることを特徴とする請求項３に記載の空気処理デバイス。
【請求項５】
前記静電集塵器は、絶縁サポートによって保持されている電極を含むことを特徴とする請求項４に記載の空気処理デバイス。
【請求項６】
前記電極は、ワイヤ電極を含み、ループされて垂直方向に方向付けられた単一のワイヤを含むことを特徴とする請求項５に記載の空気処理デバイス。
【請求項７】
前記ワイヤは、前記絶縁サポートの両側部の間でループされていることを特徴とする請求項６に記載の空気処理デバイス。
【請求項８】
前記絶縁サポートは、開口部を含み、前記開口部は、空気がそれを通って流れることを可能にするように構成されており、ワイヤ電極のワイヤは、前記開口部の上にグリッドを形成していることを特徴とする請求項５から請求項７のいずれか一項に記載の空気処理デバイス。
【請求項９】
前記ワイヤ電極の前記ワイヤは、前記ワイヤのそれぞれの端部に取り付けられている電気接点を含むことを特徴とする請求項６から請求項８のいずれか一項に記載の空気処理デバイス。
【請求項１０】
前記電気接点は、前記ワイヤ電極への電力の供給のための電源に接続するように構成されていることを特徴とする請求項９に記載の空気処理デバイス。
【請求項１１】
静電ワイヤ電極は、アーチ形の電極であり、前記コイルアセンブリは、円筒電極であり、前記アーチ形の電極および円筒コイルアセンブリは、互いに同心円状になっていることを特徴とする請求項５に記載の空気処理デバイス。
【請求項１２】
静電ワイヤ電極は、ニードル電極の直線状アレイを含むことを特徴とする請求項５に記載の空気処理デバイス。
【請求項１３】
前記円筒コイルは、円筒形状の内側メッシュと、円筒形状の外側メッシュと、前記内側メッシュおよび前記外側メッシュを分離する円筒形状の誘電体とを有していることを特徴とする請求項４または請求項５に記載の空気処理デバイス。
【請求項１４】
前記コイルアセンブリは、前記円筒コイルの第１の端部および第２の端部のそれぞれにおいて絶縁スタンドを含み、前記絶縁スタンドは、前記円筒コイルを上昇させられた位置に装着するために構成されていることを特徴とする請求項１３に記載の空気処理デバイス。
【請求項１５】
前記コイルアセンブリは、それぞれの絶縁スタンドに除去可能に係合可能であることを特徴とする請求項１４に記載の空気処理デバイス。
【請求項１６】
前記内側メッシュおよび前記外側メッシュへの電圧の供給は、前記外側メッシュから放電されるプラズマを発生させることを特徴とする請求項１３から請求項１５のいずれか一項に記載の空気処理デバイス。
【請求項１７】
前記内側メッシュおよび前記外側メッシュに電力を印加するために、前記絶縁スタンドの上に電気接点をさらに含むことを特徴とする請求項１４に記載の空気処理デバイス。
【請求項１８】
前記円筒コイルのそれぞれの端部において絶縁体キャップをさらに含むことを特徴とする請求項１３から請求項１７のいずれか一項に記載の空気処理デバイス。
【請求項１９】
絶縁スタンドは、前記コイルアセンブリが位置する任意の表面の上方に前記コイルアセンブリを上昇させるためのサポートプラットフォームとして機能しており、前記円筒コイルのそのような浮上させられた位置は、前記円筒コイルの上方および下方の空気循環を可能にし、それによって、電極アセンブリを浮上させることによって、前記不活性化ゾーンは、前記円筒コイルの周りに円周方向に延在しており、空気は、均一なレベルのプラズマを受けながら、前記コイルアセンブリの上方および下方の両方を通過することが可能であることを特徴とする請求項１４から請求項１８のいずれか一項に記載の空気処理デバイス。
【請求項２０】
空気は、コイルアセンブリの向きに対して垂直な方向に流れ、円筒コイルに対する空気暴露が最大化されることを確実にすることを特徴とする請求項１から請求項１９のいずれか一項に記載の空気処理デバイス。
【請求項２１】
前記円筒コイルは、前記コイルアセンブリの内側メッシュおよび外側メッシュの上に設けられた電気接点を含み、前記電気接点は、第１のリム部を含み、前記第１のリム部は、前記内側メッシュおよび前記外側メッシュの平面の中にあり、前記電気接点は、第２のリム部を有しており、前記第２のリム部は、前記内側メッシュおよび前記外側メッシュの前記平面に対して垂直になっていることを特徴とする請求項１３から請求項２０のいずれか一項に記載の空気処理デバイス。
【請求項２２】
前記電気接点は、概して、Ｌ字形状の電気接点の形態になっていることを特徴とする請求項２１に記載の空気処理デバイス。
【請求項２３】
絶縁スタンドまたはそれぞれの絶縁スタンドには、電気接点の第２のリム部を受け入れるように適合されているスロットが設けられており、それによって、使用時に、前記電気接点の前記第２のリム部が前記絶縁スタンドまたはそれぞれの絶縁スタンドの中の前記スロットの中へ挿入されるときに、前記電気接点は、電源に接続するように構成され、前記コイルアセンブリが前記絶縁スタンドの中に位置するときに、内側メッシュおよび外側メッシュに対して電力を供給することを特徴とする請求項２０から請求項２２のいずれか一項に記載の空気処理デバイス。
【請求項２４】
前記プラズマ発生器は、１Ｗ／ｃｍ2未満のパワー密度で動作し、コイルアセンブリの長手方向軸線の周りに円周方向にプラズマ放電を操作可能に発生させるように構成されていることを特徴とする請求項１から請求項２３のいずれか一項に記載の空気処理デバイス。
【請求項２５】
前記コイルアセンブリは、０．１Ｗ／ｃｍ2から０．５Ｗ／ｃｍ2の範囲にあるパワー密度で動作されることを特徴とする請求項２４に記載の空気処理デバイス。
【請求項２６】
前記静電集塵器によって発生された前記電荷を帯びた浮遊粒子を前記不活性化ゾーンの中へ方向付けするための前記手段は、前記静電集塵器と前記プラズマ発生器との間に印加される電圧を含み、前記空気処理デバイスが、電荷を帯びた浮遊粒子を発生させるように適合されており、それと同時に、前記プラズマ発生器に向けて前記不活性化ゾーンの中へ前記電荷を帯びた浮遊粒子を引き付けることによって、発生された前記電荷を帯びた粒子を方向付けし、前記電荷を帯びた浮遊粒子を前記不活性化ゾーンの中のプラズマに曝すように適合されていることを特徴とする請求項１から請求項２５のいずれか一項に記載の空気処理デバイス。
【請求項２７】
前記静電集塵器と前記プラズマ発生器との間に印加される前記電圧は、１，０００ボルトから１０，０００ボルトの間の範囲、２，０００から９，０００の間の範囲、３，０００ボルトから８，０００ボルトの間の範囲、４，０００ボルトから７，０００ボルトの間の範囲のいずれかの範囲にあるか、若しくは、約５，０００ボルトであることを特徴とする請求項２６に記載の空気処理デバイス。
【請求項２８】
前記静電集塵器によって発生された前記電荷を帯びた浮遊粒子を前記不活性化ゾーンの中へ方向付けするための前記手段は、空気のフローを前記プラズマ発生器に向けて方向付けするためのダクティングを含むことを特徴とする請求項１から請求項２７のいずれか一項に記載の空気処理デバイス。
【請求項２９】
前記プラズマ発生器は、前記静電集塵器に近接して位置決めされているが、アーク放電が回避されるように前記静電集塵器から所定の距離に位置決めされていると同時に、前記プラズマ発生器と前記静電集塵器との間の協働を可能にすることを特徴とする請求項１から請求項２８のいずれか一項に記載の空気処理デバイス。
【請求項３０】
前記静電集塵器と前記プラズマ発生器との間の前記所定の距離は、０．５ｃｍから２ｃｍの範囲にある距離であることを特徴とする請求項２９に記載の空気処理デバイス。
【請求項３１】
前記所定の距離は、約１ｃｍであることを特徴とする請求項３０に記載の空気処理デバイス。
【請求項３２】
請求項１から請求項３１のいずれか一項に記載の空気処理デバイスを含むことを特徴とするコンジット。
【請求項３３】
前記コンジットは、静電的に帯電されている電極をその内部表面の上に含み、前記内部表面は、前記電荷を帯びた浮遊粒子を操作可能に反発することを特徴とする請求項３２に記載のコンジット。
【請求項３４】
空気処理デバイスであって、
アーチ形の静電ワイヤ電極であって、電極の付近の浮遊粒子を帯電させるように構成されているアーチ形の静電ワイヤ電極と、
アーチ形のワイヤ電極に隣接して位置決めされている円筒コイルアセンブリであって、電荷を帯びた浮遊粒子をそれに引き付けるように、および、プラズマを放電するように構成されている、円筒コイルアセンブリと
を含み、
アーチ形の電極および前記円筒コイルアセンブリは、互いに同心円状になっており、
前記円筒コイルアセンブリは、円筒コイルを備えるコイルアセンブリを含み、前記コイルアセンブリは、前記円筒コイルに係合するように適合されている絶縁スタンドを備え、前記絶縁スタンドは、前記円筒コイルを上昇させられた位置に装着するために構成されていることを特徴とする空気処理デバイス。
【請求項３５】
ニードル電極の直線状アレイであって、電極の付近の浮遊粒子を帯電させるように構成されている、ニードル電極の直線状アレイと、
直線状電極のアレイに隣接して位置決めされているコイルアセンブリであって、電荷を帯びた浮遊粒子をそれに引き付けるように、および、プラズマを放電するように構成されている、コイルアセンブリと
を含み、
前記コイルアセンブリは、円筒コイルと、前記円筒コイルに係合するように適合されている絶縁スタンドとを備え、前記絶縁スタンドは、前記円筒コイルを上昇させられた位置に装着するために構成されていることを特徴とする空気処理デバイス。
【請求項３６】
ニードル電極アレイと前記コイルアセンブリとの間の電圧は、１，０００ボルトから１０，０００ボルトの間の範囲、２，０００から９，０００の間の範囲、３，０００ボルトから８，０００ボルトの間の範囲、４，０００ボルトから７，０００ボルトの間の範囲のいずれかの範囲にあるか、若しくは、約５，０００ボルトであることを特徴とする請求項３５に記載の空気処理デバイス。
【請求項３７】
前記コイルアセンブリは、前記直線状アレイのニードル電極に近接して位置決めされているが、アーク放電が回避されるように前記直線状アレイのニードル電極から所定の距離に位置決めされていると同時に、前記コイルアセンブリと前記ニードル電極との間の協働を可能にし、電極の付近にある前記浮遊粒子を帯電させると同時に、前記コイルアセンブリに向けて前記電荷を帯びた浮遊粒子を引き付けることを特徴とする請求項３５または請求項３６に記載の空気処理デバイス。
【請求項３８】
静電集塵器とプラズマ発生器との間の前記所定の距離は、０．５ｃｍから２ｃｍの範囲にある距離であることを特徴とする請求項３７に記載の空気処理デバイス。
【請求項３９】
前記所定の距離は、約１ｃｍであることを特徴とする請求項３８に記載の空気処理デバイス。
【請求項４０】
プラズマ発生器を含む空気処理デバイスであって、前記プラズマ発生器は、円筒コイルを備えるコイルアセンブリを含み、前記コイルアセンブリは、前記円筒コイルに係合するように適合されている絶縁スタンドを含み、前記絶縁スタンドは、前記プラズマ発生器が位置する任意の表面の上方に前記円筒コイルを上昇させるためのサポートプラットフォームとして機能しており、前記円筒コイルのそのような浮上させられた位置は、前記プラズマ発生器の上方および下方の空気循環を可能にし、それによって、前記円筒コイルを浮上させることによって、不活性化ゾーンは、前記プラズマ発生器の周りに延在しており、空気は、均一なレベルのプラズマを受けながら、前記プラズマ発生器の上方および下方の両方を通過することが可能であることを特徴とする空気処理デバイス。
【請求項４１】
前記空気は、前記プラズマ発生器の向きに対して垂直な方向に流れ、前記プラズマ発生器に対する空気暴露が最大化されることを確実にすることを特徴とする請求項４０に記載の空気処理デバイス。
【請求項４２】
前記プラズマ発生器は、コイルアセンブリを含み、前記コイルアセンブリは、内側メッシュ電極および外側メッシュ電極を含み、また、前記コイルアセンブリの内側メッシュおよび外側メッシュの上に設けられた電気接点を含むことを特徴とする請求項４０または請求項４１に記載の空気処理デバイス。
【請求項４３】
前記電気接点は、前記内側メッシュおよび前記外側メッシュと同一平面上にある第１のリム部を含み、前記電気接点は、前記内側メッシュおよび前記外側メッシュの平面に対して垂直になっている第２のリム部を有することを特徴とする請求項４２に記載の空気処理デバイス。
【請求項４４】
前記電気接点は、概して、Ｌ字形状の電気接点の形態になっていることを特徴とする請求項４２または請求項４３に記載の空気処理デバイス。
【請求項４５】
前記絶縁スタンドまたはそれぞれの絶縁スタンドには、電気接点の第２のリム部を受け入れるように適合されているスロットが設けられており、それによって、使用時に、前記電気接点の前記第２のリム部が前記絶縁スタンドまたはそれぞれの絶縁スタンドの中の前記スロットの中へ挿入されるときに、前記電気接点は、電源に接続するように構成され、コイルアセンブリが前記絶縁スタンドの中に位置するときに、内側メッシュおよび外側メッシュに対して電力を供給することを特徴とする請求項４０から請求項４４のいずれか一項に記載の空気処理デバイス。
【請求項４６】
前記絶縁スタンドは、サポートレッジ部を含み、コイルアセンブリが前記絶縁スタンドに係合されるときに、前記コイルアセンブリがサポートレッジ部に当接することを特徴とする請求項４０から請求項４５のいずれか一項に記載の空気処理デバイス。
【請求項４７】
前記サポートレッジ部は、スロットを含み、前記スロットを通して、電気の第２のリム部が挿入され得ることを特徴とする請求項４６に記載の空気処理デバイス。
【請求項４８】
前記絶縁スタンドは、前記プラズマ発生器に除去可能に係合するように適合されていることを特徴とする請求項４０から請求項４７のいずれか一項に記載の空気処理デバイス。